(57)【特許請求の範囲】
【請求項１】
便器に連通する排水管内に洗浄水を噴射するノズルの取付構造であって、
排水管の周面に形成された開口部に貫通し軸方向に通路を有する案内筒と、
前記案内筒の通路に嵌挿される軸部を有するノズル本体と、
前記ノズル本体の軸部と前記案内筒の通路間に介挿される係止体と、からなり、
前記案内筒は、前記開口部よりも径大の膨出部と、この膨出部に連設され開口部と同一又は径小の垂下部とを有し、前記膨出部及び垂下部の内方に前記通路が形成され、
前記係止体は、前記ノズル本体の軸部に当接する本体部と、本体部の下部から外方に突設された拡開部と、本体部の上部に設けられノズル本体及び案内筒の膨出部に係合する係合部と、を有し、
前記ノズル本体を前記排水管に取り付ける際、ノズル本体の軸部と係止体の本体部が当接すると共に、係止体の係合部がノズル本体及び案内筒の膨出部に係合し、係止体の拡開部が排水管の排水路内壁に当接し、ノズル本体が開口部に固定されることを特徴とするノズルの取付構造。
【請求項２】
前記係止体は、ノズル本体の軸部の周囲に沿って複数介挿されることを特徴とする請求項１記載のノズルの取付構造。
【請求項３】
前記案内筒の垂下部側面には、前記拡開部より幅広な切欠部が設けられ、前記切欠部を通して拡開部が垂下部外方に突出することを特徴とする請求項１又は２に記載のノズルの取付構造。
【請求項４】
前記案内筒とノズル本体は、ナットにより係合されることを特徴とする請求項１から３のいずれか１項に記載のノズルの取付構造。
【請求項５】
ノズル本体の射出孔の向きを知らせるマークをノズル本体に設けることにより、射出孔の正しい向きを定めることを特徴とする請求項１〜４のいずれか１項に記載のノズルの取付構造。
【請求項６】
便器に連通する排水管内に洗浄水を噴射するノズルの取付方法であって、
排水管の周面に形成された開口部に貫通し軸方向に通路を有する案内筒と、
前記案内筒の通路に嵌挿される軸部を有するノズル本体と、
前記ノズル本体の軸部と前記案内筒の通路間に介挿される係止体と、からなり、
前記案内筒は、前記開口部よりも径大の膨出部と、この膨出部に連設され開口部と同一又は径小の垂下部とを有し、前記膨出部及び垂下部の内方に前記通路が形成され、
前記係止体は、前記ノズル本体の軸部に当接する本体部と、本体部の下部から外方に突設された拡開部と、本体部の上部に設けられノズル本体及び案内筒の膨出部に係合する係合部と、を有する、組付部材の組付けが、
（ａ）案内筒を開口部に、膨出部が排水管外方に突出するとともに垂下部が排水管内に臨むよう取り付ける工程と、
（ｂ）係止体を案内筒内に、拡開部が排水管内に臨むよう組み入れる工程と、
（ｃ）ノズル本体を案内筒内に、軸部と係止体の本体部が当接するよう挿入する工程と、（ｄ）前記係止体の係合部を前記ノズル本体及び前記案内筒の膨出部に係合する工程と、を含むノズルの取付方法。
【発明の詳細な説明】
【技術分野】
【０００１】
本発明は、ノズルの取付構造に関する。
【背景技術】
【０００２】
公衆トイレ等における洗浄システムにおいては、自動水洗装置を備えたものが一般的となっている。この洗浄システムは、例えば赤外線を利用した人センサを各小便器の上部に設け、人センサからの検知信号に応じて、各小便器を利用する度に給水用電磁弁を制御して各小便器の個別洗浄を行う。
【０００３】
個別洗浄に供された水は、排水横引管の下流方向に排出され、排水横引管を経由後、汚水管に向けて流れる。つまり排水横引管は、便器に溜まった排泄物を敷地外に排出するための管である。排水横引管は、蛇腹状をした管である排水接続アダプタやエルボを用いて、便器本体の後部下方で接続される。そして、排水横引管のうち便器本体と反対側の端部が前記汚水管に向けて延びている。
【０００４】
排水横引管には、その内部をジェット洗浄する排水管洗浄ノズルが、予め定められた位置に接続されている。そして、この排水管洗浄ノズルから水が噴射することにより、排水横引管内の排泄物及び洗浄水を含む排水の滞留を抑制する。
【先行技術文献】
【特許文献】
【０００５】
【特許文献１】特開平０５−１４１５８１号公報
【発明の概要】
【発明が解決しようとする課題】
【０００６】
ところで、これまでは、排水管洗浄ノズルのメンテナンス作業を行うにあたり、排水横引管からノズルを簡単に着脱できるものがなかった。
本発明は、このような事情に鑑みて為されたものであり、その解決しようとする課題は、ノズルのメンテナンス作業を行うにあたり、排水横引管に対して簡単に着脱できるノズルの取付構造を提供することにある。
【課題を解決するための手段】
【０００７】
上記課題を解決するために、本発明では次の手段を採用した。
すなわち、本発明は、便器に連通する排水管内に洗浄水を噴射するノズルの取付構造であって、排水管の周面に形成された開口部に貫通し軸方向に通路を有する案内筒と、前記案内筒の通路に嵌挿される軸部を有するノズル本体と、前記ノズル本体の軸部と前記案内筒の通路間に介挿される係止体と、からなり、前記案内筒は、前記開口部よりも径大の膨出部と、この膨出部に連設され開口部と同一又は径小の垂下部とを有し、前記膨出部及び垂下部の内方に前記通路が形成され、前記係止体は、前記ノズル本体の軸部に当接する本体部と、本体部の下部から外方に突設された拡開部と、本体部の上部に設けられノズル本体及び案内筒に係合する係合部と、を有し、前記ノズル本体を前記排水管に取り付ける際、ノズル本体の軸部と係止体の本体部が当接すると共に、係止体の係合部がノズル本体及び案内筒に係合し、係止体の拡開部が排水管の排水路内壁に当接し、ノズル本体が開口部に固定されることを特徴とするノズルの取付構造である。
【０００８】
また、前記係止体は、ノズル本体の軸部の周囲に沿って複数介挿されることを特徴とすることもできる。
さらに前記案内筒の垂下部側面には、前記拡開部より径大な切欠部が設けられ、前記切欠部を通して拡開部が垂下部外方に突出することを特徴としてもよい。
【０００９】
そして、前記案内筒とノズル本体は、ナットにより係合されることを特徴とする。
さらにまたノズル本体の射出孔の向きを知らせるマークをノズル本体に設けることにより、射出孔の正しい向きを定めることを特徴としてもよい。
【００１０】
また、本発明は、便器に連通する排水管内に洗浄水を噴射するノズルの取付方法であり、排水管の周面に形成された開口部に貫通し軸方向に通路を有する案内筒と、前記案内筒の通路に嵌挿される軸部を有するノズル本体と、前記ノズル本体の軸部と前記案内筒の通路間に介挿される係止体と、からなり、前記案内筒は、前記開口部よりも径大の膨出部と、この膨出部に連設され開口部と同一又は径小の垂下部とを有し、前記膨出部及び垂下部の内方に前記通路が形成され、前記係止体は、前記ノズル本体の軸部に当接する本体部と、本体部の下部から外方に突設された拡開部と、本体部の上部に設けられノズル本体及び案内筒に係合する係合部と、を有する、組付部材の組付けが、（ａ）案内筒を開口部に、膨出部が排水管外方に突出するとともに垂下部が排水管内に臨むよう取り付ける工程と、（ｂ）係止体を案内筒内に、拡開部が排水管内に臨むよう組み入れる工程と、（ｃ）ノズル本体を案内筒内に、軸部と係止体の本体部が当接するよう挿入する工程と、（ｄ）前記係止体を前記ノズル本体及び前記案内筒の膨出部に係合する工程と、を含む。
【発明の効果】
【００１１】
ノズルのメンテナンス作業を行うにあたり、排水横引管に対してノズルを着脱することが容易になる。
【図面の簡単な説明】
【００１２】
【図１】本発明に係るノズルの取付構造を採用した洗浄システムの全体構成図である。
【図２】本発明に係る排水管洗浄ノズルを排水横引管に取り付けた状態を示す斜視図である。
【図３】図２の一部切欠分解斜視図であるとともに一部を拡大して示す図である。
【図４Ａ】ガイド部にノズル本体を入れる直前の状態を示す一部切欠正面図である。
【図４Ｂ】ガイド部にノズル本体を入れた状態を示す一部切欠正面図である。
【図５】図４Ｂの矢印Ｖ方向から見た平面図である。
【図６】図４Ｂの矢印ＶＩ方向から見た底面図である。
【図７】本発明に係る排水洗浄ノズルの組み立て手順を示す図であり、排水横引管の通し孔にガイド部を通す前に爪をガイド部に通す状態を示す図である。
【図８】図７に連続する図であり、爪が通されたガイド部を排水横引管の通し孔に入れた状態を示す図である。
【図９】図８に連続する図であり、ノズル本体をガイド部に挿入しようとしている図である。
【図１０】図９に連続する図であって、ガイド部にノズル本体を入れた状態を示す図である。
【図１１】図１０に連続する図であって、図１０の状態にあるガイド部にパッキンを通した状態を示す図である。
【図１２】図１１に連続する図であって、パッキンの通されたガイド部にパッキン押さえをした状態を示す図である。
【図１３】図１１に連続する図であって、図１２の状態にあるガイド部にさらにノズル押さえを通した状態を示す図である。
【発明を実施するための形態】
【００１３】
以下、この発明を実施するための形態（以下、実施形態）を実施例に基づいて例示的に説明する。ただし、この実施例に記載されている構成部品の寸法、材質、形状その相対配置などは、特に特定的に記載がない限りは、この発明の範囲をそれらに限定する趣旨ではない。
【００１４】
図１は本発明に係るノズルの取付構造を採用した洗浄システムの全体構成図である。洗浄システム１は、建造物の壁面に予め定めた間隔（ここでは等間隔）で連設された複数（ここでは４基）の男性用小便器２Ａ，２Ｂ，２Ｃ，２Ｄを備える。
【００１５】
また、この洗浄システム１は、これらの小便器２Ａ，２Ｂ，２Ｃ，２Ｄの連設方向に延在し、小便器２Ａ〜２Ｄから便器排水管（図示せず）を通して排出される排泄物及び流量が制限された洗浄水などを上流から下流方向に搬送する管である排水横引管３を含む。
【００１６】
排水横引管３は、壁内配管による壁排水形態を採り、排泄物及び洗浄水を含む排水の滞留を抑制するために、上流方向から下流方向に特定の勾配角度（例えば、１００分の２）が付けられている。
【００１７】
そして、洗浄システム１は、小便器２Ａ〜２Ｄに洗浄水を分配する第１配水管４と、排水横引管３のうち予め定められた複数位置３１，３２，３３，３４に設置され第２特定量の洗浄水を分配する第２配水管５とを含む。
【００１８】
第１配水管４は、一端が上水道本管（図示せず）に接続され、他端が小便器２Ａ〜２Ｄ内に形成された給水路（図示せず）に連通している。また、第２配水管５は、一端が第１配水管４に接続され、他端が排水横引管３の予め定めた前記複数位置３１〜３４に接続されている。なお、第２配水管５の一端を第１配水管４に接続するのではなく、第１配水管４と同様、上水道本管に接続するようにしてもよい。排水横引管３の前記複数位置３１〜３４には、それぞれ通し孔３５が形成されている（図３参照）。そして、これら各通し孔３５には、排水管洗浄ノズル１００が接続されている（図２、図３等参照）。排水管洗浄ノズル１００については後述する。
【００１９】
洗浄システム１は、第１配水管４の途中に介装され小便器２Ａ〜２Ｄへの洗浄水の個別供給を制御する第１制御弁ユニット６Ａ，６Ｂ，６Ｃ，６Ｄと、第２配水管５の途中に介装され、排水横引管３の予め定めた複数位置３１〜３４への洗浄水の個別供給を制御する第２制御弁ユニット７Ａ，７Ｂ，７Ｃ，７Ｄとを更に含む。
【００２０】
第１制御弁ユニット６Ａ〜６Ｄのそれぞれは、第１電磁弁を備えている。そして、制御装置１０Ａ，１０Ｂ，１０Ｃ，１０Ｄからの指令（指示信号）に応じて、第１電磁弁６Ａ，６Ｂ，６Ｃ，６Ｄが開閉され、小便器２Ａ〜２Ｄへの洗浄水の個別供給がなされる。
【００２１】
第２制御弁ユニット７Ａ〜７Ｄは、それぞれが第２電磁弁を備えている。そして、制御装置１０Ａ〜１０Ｄからの指令に応じて、第２電磁弁が開閉され、排水横引管３の予め定めた複数位置３１〜３４への洗浄水の個別供給がなされる。
【００２２】
また、洗浄システム１は、各小便器使用者の存在状態をそれぞれ検知する使用者検知部８Ａ，８Ｂ，８Ｃ，８Ｄを含む。使用者検知部８Ａ〜８Ｄは、赤外線を利用した人センサである。本明細書では、各小便器の上部における制御装置１０Ａ〜１０Ｄを収容する壁面配設の筐体内に設けられている。制御装置１０Ａ〜１０Ｄは、使用者検知部８Ａ〜８Ｄからの検知信号に応じて、各小便器を使用者が利用するたびに洗浄を指令する。
【００２３】
次に図を参照して、上記洗浄システム１に採用された排水管洗浄ノズル１００について
詳述する。
排水管洗浄ノズル１００は、排水横引管３の長手方向に対して直交する方向に形成された通し孔３５（図３参照）に通されるものである。そして、排水管洗浄ノズル１００は、貫通孔１１０ａを有するガイド部１１０と、このガイド部１１０の前記貫通孔１１０ａを通過するノズル本体１３０と、排水横引管３の前記通し孔３５からの水漏れを防止するためのパッキン１５０と、このパッキン１５０に圧力を上から掛けるパッキン押さえ１７０と、ノズル本体１３０を排水横引管３に対して固定するためのノズル押さえ１９０と、ガイド部１１０の前記貫通孔１１０ａを経由して排水横引管３の排水路内壁と掛止する複数（ここでは２つ）の爪２００とからなる。これらの部品は、通し孔３５の中心軸Ｃを共有する同心円状に配置される（図２、図３参照）。
【００２４】
ガイド部１１０は、径大部１１１と、径大部１１１の下方に形成された径小部１１２とからなる（図３参照）。そして、径大部１１１及び径小部１１２には、軸方向に延びる前記貫通孔１１０ａが形成されている（図３参照）。貫通孔１１０ａのうち径大部１１１に形成された貫通孔１１０ａと径小部１１２に形成された貫通孔１１０ａとでは大きさが相違し、前者の方が大きい。このため、径大部１１１と径小部１１２との間で段差部ｄを生じる（図３、図４、図７参照）。また、径大部１１１の外周面には螺溝１１３が形成されている。径小部１１２は、ガイド部１１０のうち排水横引管３の通し孔３５に挿通される部位である。そして、径小部１１２が通し孔３５に挿通されたとき、径小部１１２の先端が、通し孔３５の形成されている排水横引管３の肉厚内に位置するように、ガイド部１１０の長さ寸法が定められている（図４参照）。また、径小部１１２には、中心軸Ｃを対称軸として線対称に一対の切り溝１１５が形成されている（図３参照）。当該一対の切り溝１１５は、径大部１１１の一部にまで臨む。また、切り溝１１５は、前記爪２００よりも大きい。
【００２５】
ノズル本体１３０は、第２配水管５（図１、２参照）と接続される箇所である接続部１３１と（図３参照）、排水横引管３の通し孔３５にガイド部１１０を介して挿通される挿通部１３３とからなる（図３、図４参照）。接続部１３１及び挿通部１３３とでは直径が相違する。そして、その径差によって段差部１３３ａ（図４ｂ参照）が形成される。段差部１３３ａについては後述する。
【００２６】
また、接続部１３１及び挿通部１３３には、上端部が大きく開口し下端が小さく開口した、ノズルの軸方向に延びる貫通孔１３４が形成されている（図４参照）。そして、ノズル本体１３０は、その長さ寸法が、排水管洗浄ノズル１００を排水横引管３の通し孔３５に組み付けたときに、ノズル本体１３０の上端部と下端部が排水横引管３の通し孔３５から突出した長さになるように設定されている。
【００２７】
なお、ここでいう上下とは、排水管洗浄ノズル１００を排水横引管３に取り付けたときの上方を上といい、同じく下方を下という。
【００２８】
ノズル本体１３０の前記貫通孔１３４は、径大孔１３１ｂと径小孔１３１ｓとからなる（図４参照）。そして、ノズル本体１３０の前記接続部１３１の軸方向における長さの略１／４が径大孔１３１ｂであり（図４参照）、それ以下の略３／４が径小孔１３１ｓとされている（図４参照）。そして、径小孔１３１ｓの下端に図示しない射出孔が形成されている。射出孔は、第２配水管５より供された水をジェット噴射し、これにより排水横引管３内を噴射洗浄するためのものである。
【００２９】
また、径大孔１３１ｂは、切頭円錐形を倒立したごとき形状をしており、その内周面にはねじ溝１３５が形成されている（図２、図４参照）。当該ねじ溝１３５は、第２配水管５とノズル本体１３０とを結合するための係止溝である。なお、ノズル本体１３０のうち
、接続部１３１に形成されている符号１３１ａで示す長方形状領域は、図示しないレンチの歯を係止する係止面であり、対向する側にも同様の係止面１３１ａが形成されている（図２、図３、図５等参照）。また、係止面１３１ａの長手方向は、前記射出孔の開口している方向と向きを同じに形成され、係止面１３１ａの端縁が排水横引管３の長手方向を向いた位置にあるとき、射出孔も排水横引管３の長手方向を向くようになっている。また、係止面１３１ａの一対の端縁のうちの一方には穴（●表示）が形成され、射出孔の排水管３内における向きを作業者に知らせるマークとして機能する。  
【００３０】
また、ノズル本体１３０の接続部１３１には、その軸方向におけるほぼ中央にフランジ１３１ｆが形成されている（図３、図４等参照）。フランジ１３１ｆの下方近傍には、オーリング１３５と、このオーリング１３５が取り付けられる、オーリング取付溝１３７が形成されている（図３、図４参照）。
【００３１】
パッキン１５０は、排水管洗浄ノズル１００を排水横引管３に組み付けたときにガイド部１１０の周囲を囲繞するように配置されるものであり、リング形状をしている（図３、４参照）。
【００３２】
パッキン押さえ１７０には、フランジナットが適用され、ガイド部１１０の螺溝１１３の略下半分で螺合される。そして、そのフランジ部１７２と排水横引管３の外周面との間でパッキン１５０を押さえる（図４参照）。また、フランジ部１７２の直径とパッキン１５０の直径とは同じ大きさである。
【００３３】
ノズル押さえ１９０は、８角ナット（フクロウナット）が適用され、ガイド部１１０の螺溝１１３とその上方部で螺合する（図３、図４参照）。なお、ノズル押さえ１９０の軸方向への進行は、ノズル本体１３０のフランジ１３１ｆによって阻止され、それ以上の下方への進行ができないようになっている（図４参照）。
【００３４】
既述した複数の爪２００は、次の３つの部位からなり、縦断面で扁平脚長のコ字形状をしている。つまり、爪２００は、取付部２０２と、脚部２０３と、爪部２０４とからなりそれらが一体形成されている。そして、取付部２０２と爪部２０４の長さに比して脚部２０３の長さが大幅に長い。
【００３５】
また、爪２００は、その全体が、ガイド部１１０の貫通孔１１０ａの上部から前記一対の切り溝１１５に向けてそれぞれ入れられるようにその大きさ及び形状が定められている（図３参照）。そして、爪２００は、ノズル本体１３０の挿通部１３３の周囲に沿って介挿される。
【００３６】
取付部２０２は、横断面が矩形状をしたリング（指輪）の一部を切り取った如き形状をしており、その内径は、挿通部１３３（図３参照）の外径と同じ大きさである。
【００３７】
脚部２０３は、取付部２０２から垂下して形成される。なお、脚部２０３の内側の面には曲率が付いており、当該曲率は、前記挿通部１３３の外周面の曲率と同じである（図４参照）。
【００３８】
爪部２０４は、脚部２０３の下端に形成され脚部２０３に対して直交した状態で径方向に突出しているへら状の突出部である（図３、４参照）。
【００３９】
次にこのような排水管洗浄ノズル１００の組み立て手順を説明する。
（イ）ガイド部１１０の貫通孔１１０ａに一対の爪２００をそれらの爪部２０４が下方になるようにして入れる（図７参照）。このとき、切り溝１１５に爪２００が入るように
して、ガイド部１１０と一対の爪２００とを一体化させる（図７、８参照）。この時、一対の爪２００は、それらの取付部２０２がガイド部１１０の段差部ｄに当接した状態で係止するようになる。その結果、爪２００が、図４Ａに示すように宙ぶらりんの状態になる。爪２００の取付部２０２とガイド部１１０の段差部ｄとの係止構造を第１の係止構造ということにする。
【００４０】
（ロ）その後、排水横引管３の通し孔３５に爪２００を含んだガイド部１１０の径小部１１２を挿入する（図８参照）。すると、ノズル本体１３０の段差部１３３ａが、爪２００の取付部２０２を間に挟んで、段差部ｄ上に位置する。この結果、爪２００は、てこの原理で、図４Ａに示す状態から図４Ｂで示す状態になり、爪部２０４による通し孔３５との係合が確定し、ガイド部１１０が、排水横引管３に固定される。なお、ガイド部１１０の径小部１１２は、これが通し孔３５内に爪２００を介在させた状態で収まるようにその長さや径寸法が定められている（図４）。
【００４１】
（ハ）ノズル本体１３０の挿通部１３３のある側を下にして、当該挿通部１３３をガイド部１１０の貫通孔１１０ａに通す（図９、図１０参照）。このときノズル本体１３０のフランジ１３１ｆが、ガイド部１１０の上端縁１１０ｔ（図３、図４参照）に略当接する状態になっている。このため、ノズル本体１３０のそれ以上の進行が阻止される（図４参照）と共に後退、すなわちノズル本体１３０を抜き取るには、ナット部１９０を緩める方向に回転する。
【００４２】
そして、図４Ａで示すように宙ぶらりんの状態でガイド部１１０の段差部ｄに係止されていた爪２００は、ノズル本体１３０の段差部１３３ａにより半径方向外側に押されて排水横引管３の通し孔３５に当接する。また、このとき、爪部２０４は、排水横引管３の内面に係止し、図４の実線で示される状態になる。また、脚部２０３の内側の面には曲率が付いており、当該曲率は、前記挿通部１３３の外周面の曲率と同じであるので、脚部２０３も前記挿通部１３３の外周面に当接する（図４参照）。このように、爪２００の爪部２０４と、排水横引管３の内面との係止構造を第２の係止構造という。
【００４３】
（ニ）ノズル本体１３０と爪２００とが取付られているガイド部１１０にパッキン１５０を通す（図１１参照）。
【００４４】
（ホ）パッキン押さえ１７０をパッキン１５０の上に置く（図１２参照）。
【００４５】
（ヘ）ノズル押さえ１９０をノズル本体１３０に通し（図１３参照）、その後、パッキン押さえ１７０、ノズル押さえ１９０の順で締め付ける。このとき、ノズル本体１３０の係止面１３１ａに図示しないレンチの歯を係止し、その状態を維持したままパッキン押さえ１７０、ノズル押さえ１９０をスパナ等で挟み込んで回転し、それらの螺溝（図示せず）をガイド部１１０の径大部１１１に形成された螺溝１１３と螺合する。パッキン押さえ１７０の螺合が完了することで、排水横引管３に形成された通し孔３５からの水漏れが抑制される。また、ノズル押さえ１９０の螺合が完了することで、ノズル押さえ１９０がガイド部１１０を上に引き上げ、その結果、ガイド部１１０に係止されていた爪２００も引き上げられるため、爪２００の爪部２０４の通し孔３５の周縁との係合が強固である。このため、排水管洗浄ノズル１００の通し孔３５からの抜けが抑制される。
【００４６】
（ト）ノズル本体１３０の接続部１３１に第２配水管５（図１参照）を接続して一連の作業を終了する（図２参照）。
【００４７】
本発明はこのような構成であるから、ノズル本体１３０の排水横引管３への取付が簡単になる。また、ノズル本体１３０の排水横引管３からの抜けが第１の係止構造と第２の係
止構造によって抑制される。第１の係止構造と第２の係止構造とをノズルの抜け防止手段という。
なお、便器が大便器の場合にも適用可能である。
【符号の説明】
【００４８】
１ 洗浄システム
２Ａ，２Ｂ，２Ｃ，２Ｄ 小便器
３ 排水横引管（排水管）
４ 第１配水管
５ 第２配水管
６Ａ〜６Ｄ 制御弁ユニット
７Ａ〜７Ｄ 制御弁ユニット
８Ａ〜８Ｄ 使用者検知部
１０Ａ〜１０Ｄ 制御装置
３５ 通し孔（開口部）
１００ 排水管洗浄ノズル（ノズル）
１１０ ガイド部（案内筒）
１１０ａ 貫通孔（通路）
１１１ 径大部（膨出部）
１１１ａ 貫通孔
１１２ 径小部（垂下部）
１１２ａ 貫通孔
１１３ 螺溝
１１５ 一対の溝（切欠部）
１３０ ノズル本体
１３１ 接続部
１３１ａ 係止面（マーク）
１３１ｂ 径大孔
１３１ｆ フランジ
１３１ｓ 径小孔
１３３ 挿通部（軸部）
１３３ａ 段差部
１３４ 貫通孔
１３５ オーリング
１３６ ねじ溝
１３７ オーリング取付溝
１５０ パッキン
１７０ パッキン押さえ
１７２ フランジ部
１９０ ナット部
２００ 爪（係止体）
２０２ 取付部（係合部）
２０３ 脚部（本体部）
２０４ 爪部（拡開部）
Ｃ 中心軸
ｄ 段差部
【図１】
0005968035.tif 000002
【図２】
0005968035.tif 000003
【図３】
0005968035.tif 000004
【図４Ａ】
0005968035.tif 000005
【図４Ｂ】
0005968035.tif 000006
【図５】
0005968035.tif 000007
【図６】
0005968035.tif 000008
【図７】
0005968035.tif 000009
【図８】
0005968035.tif 000010
【図９】
0005968035.tif 000011
【図１０】
0005968035.tif 000012
【図１１】
0005968035.tif 000013
【図１２】
0005968035.tif 000014
【図１３】
0005968035.tif 000015